(57)【要約】【課題】防水性能を向上できるとともに、組立作業性が良好な照明器具を提供すること。【解決手段】本発明は、横長状であって、前面側及び長手方向の両端側が開口したケース本体１と、このケース本体１内に収容された光源部３と、前記ケース本体１における両端側の開口を閉塞するように取付けられた端板部材１４と、前記ケース本体１における前面側の開口縁部と前記端板部材の前面側の縁部とに連続するように環状に形成されたシール部材配設部８と、このシール部材配設部８に配設されたリング状のシール部材６２と、このシール部材６２を介在して前記ケース本体における前面側の開口を閉塞するように取付けられた透光性を有するカバー６とを備える照明器具である。【選択図】図２
2012243393.tif 000002
【特許請求の範囲】
【請求項１】
横長状であって、前面側及び長手方向の両端側が開口したケース本体と；
このケース本体内に収容された光源部と；
前記ケース本体における両端側の開口を閉塞するように取付けられた端板部材と；
前記ケース本体における前面側の開口縁部と前記端板部材の前面側の縁部とに連続するように環状に形成されたシール部材配設部と；
このシール部材配設部に配設されたリング状のシール部材と；
このシール部材を介在して前記ケース本体における前面側の開口を閉塞するように取付けられた透光性を有するカバーと；
を具備することを特徴とする照明器具。
【請求項２】
前記シール部材は、シール部材配設部とカバーとの間に挟持され、弾性変形して介在していることを特徴とする請求項１に記載の照明器具。
【発明の詳細な説明】
【技術分野】
【０００１】
本発明の実施形態は、屋外で用いるのに好適な防水性能を有する照明器具に関する。
【背景技術】
【０００２】
従来、屋外で用いられる照明器具にあっては、器具本体内に雨水等の水気が侵入することを防止するため、器具本体にシール部材等を配設して防水構造としている。また、この種、照明器具において、例えば、外殻となる金属製のケースが押出成形によって一体的に横長状の略筒状に作られ、このケース内に光源としてＬＥＤ等が収容される場合がある。
【０００３】
このような照明器具の場合、ケースの両端側の開口を閉塞するように端板部材が取付けられ、また、ケースの前面側の開口（照射開口）に透光性のカバーが取付けられる。
【先行技術文献】
【特許文献】
【０００４】
【特許文献１】国際公開第２００５／２４２９１号
【発明の概要】
【発明が解決しようとする課題】
【０００５】
しかしながら、上記のような照明器具の場合、構造上、例えば、端板部材と透光性のカバーの端部との合わせ目部分において、信頼性の高い防水性能を確保しにくいという問題が生じる。
本発明は、上記課題に鑑みなされたもので、防水性能を向上できるとともに、組立作業性が良好な照明器具を提供することを目的とする。
【課題を解決するための手段】
【０００６】
本発明の実施形態による照明器具は、横長状であって、前面側及び長手方向の両端側が開口したケース本体と、このケース本体内に収容された光源部と、前記ケース本体における両端側の開口を閉塞するように取付けられた端板部材とを備えている。
【０００７】
また、前記ケース本体における前面側の開口縁部と前記端板部材の前面側の縁部とに連続するように環状に形成されたシール部材配設部と、このシール部材配設部に配設されたリング状のシール部材と、このシール部材を介在して前記ケース本体における前面側の開口を閉塞するように取付けられた透光性を有するカバーとを備えている。
【発明の効果】
【０００８】
本発明の実施形態によれば、防水性能を向上できるとともに、組立作業性が良好な照明器具を提供することが可能となる。
【図面の簡単な説明】
【０００９】
【図１】本発明の実施形態に係る照明器具が取付部材に取付けられた状態を示す斜視図である。
【図２】同照明器具を分解して示す斜視図である。
【図３】図１中、Ｘ−Ｘ線に沿って示す横断面図である。
【図４】同照明器具の組立工程を示す斜視図である。
【図５】同照明器具における端板部材を示す斜視図である。
【図６】同照明器具における端板部材を内側から見て示す正面図である。
【図７】同照明器具において、第２のカバー部材及びシール部材を取外し、シール部材配設部を示す平面図である。
【図８】図７に示す状態において、シール部材配設部にシール部材を配設して示す平面図である。
【発明を実施するための形態】
【００１０】
以下、本発明の実施形態について図１乃至図８を参照して説明する。なお、各図において同一部分には同一符号を付し、重複した説明は省略する。
【００１１】
本実施形態は、夜の景観を美しく演出する例えば、建物の外壁に光を当ててライトアップ等を行うのに適する主として屋外で使用される照明器具を示している。なお、図１においては、２台の照明器具を長手方向に連結した形態を示している。
【００１２】
図１に示すように、照明器具は、建物等の構造物に固定される取付部材Ｆに取付けられて支持されるようになっている。取付部材Ｆは、台座ｐとアームａとを備えている。台座ｐは、構造物に固定される部分であり、アームａには、その先端側に照明器具が取付けられて支持されるようになっている。また、アームａは、一端側を支点として回動可能で、照明器具を設置する際に、その回動角度を調整して照明器具から照射される光の方向を適宜変更できるようになっている。
照明器具が取付部材Ｆに取付けられた状態を示す図１においては、図示上、照明器具から照射される光は上方に向けられるようになる。
【００１３】
なお、取付部材Ｆは、上記のような構成に限らない。照明器具が取付けられ支持できるものであればよい。また、照明器具は、１台設置しても、複数台連結して設置するようにしてもよく、光を照射する目的物に対応して適宜適用することができる。
【００１４】
図１乃至図４に示すように、照明器具は、ケース本体１と、このケース本体１の内側に収容された内ケース２と、光源部３と、電源回路４と、光源部３の前面側（光の照射方向側）に配設された光学部品５及び第１のカバー６と、第１のカバー６の前面側に配設された第２のカバー７とを備えている。
【００１５】
ケース本体１は、熱伝導性が良好なアルミニウム材料で押出成形によって略筒状に形成されている。より詳しくは、ケース本体１は、横長状であり、略筒状の内側には後述する内ケース２が収容されるスペースが形成されていて、長手方向の両端部が開口し、前面側には、長手方向に沿って長方形状の開口部１１が形成されている。この開口部１１は、照射開口部として機能する。
なお、ケース本体１は、押出成形によって形成するのが好適であるが、これに限らない。成形方法が格別限定されるものではない。
【００１６】
また、この開口部１１の縁部には、第１のカバー６を支持する支持部１２が形成されている（図３参照）。この支持部１２は、長手方向に沿って溝状部１２ａを有している。したがって、溝状部１２ａは、開口部１１の縁部において長手方向の両側に平行するように直線状に形成されている。
【００１７】
さらに、ケース本体１の一側壁の外面側には、前記取付部材Ｆに取付けられる取付支持部１３が形成されている。取付支持部１３は、長手方向に亘って形成され、側面形状がＣ状である。このＣ状の取付支持部１３に詳細を省略する取付用レールが挿入されて、取付部材Ｆとボルトで固定され、ケース本体１が取付部材Ｆに取付けられ支持されるようになっている。
【００１８】
また、ケース本体１の長手方向の両端部の開口には、この開口を閉塞する端板部材１４が取付けられている。端板部材１４は、図５及び図６（図示上、左側の端板部材１４を示している）の参照を加えて示すように、ケース本体１の開口に対応した形状をなしていて、その前面側の厚み方向（ケース本体１の長手方向）に所定の幅を有する縁部には、溝状部１４ａが形成されている。この溝状部１４ａは、略円弧状に湾曲して形成されている。
さらに、端板部材１４の一側には、前記ケース本体１の取付支持部１３と連続するように側面形状がＣ状の取付支持部１４ｂが形成されている。
【００１９】
図２に代表して示すように、この端板部材１４は、ケース本体１の長手方向の両端部の開口にシール部材１４ｃ（図７に示し、図２では省略している）を介してねじ止めされて接合され取付けられる。
【００２０】
このように、端板部材１４が取付けられた状態においては、図７に示すように、ケース本体１の開口部１１の縁部に形成された溝状部１２ａと端板部材１４の前面側の縁部に形成された溝状部１４ａとは、連続するように環状に形成され、シール部材配設部８として構成される。
【００２１】
そして、図８に示すように、断面円形状のリング状のシール部材６２がシール部材配設部８に配設されるようになる。したがって、シール部材６２は、ケース本体１の開口縁部と端板部材１４の縁部、すなわち、ケース本体１と端板部材１４との接合部にわたって連続して配設されるようになる。このシール部材６２には、例えば、合成ゴム等から形成されたＯリングが用いられている。
【００２２】
内ケース２は、絶縁性を有する樹脂製ケースである。内ケース２は、ケース本体１と同様に押出成形によって略筒状に形成され、横長状であり、長手方向の両端部が開口し、前面側には、長手方向に沿って照射開口部２１が形成されている。この内ケース２は、前記ケース本体１における内側のスペースに、端部の開口から挿入されて配設されるようになっている。
【００２３】
図３に代表して示すように、内ケース２には、その内側に光源部３や光学部品５が配設される。このため、内ケース２の内側における両側壁には、光源部３の保持溝２２が長手方向にわたって形成されている。また、照射開口部２１の縁部における内側の両側には、光学部品５の保持溝２３が長手方向にわたって形成されている。
【００２４】
さらに、照射開口部２１の縁部には、前面側へ向かって、かつ長手方向に沿って両側に突出する遮光ルーバ２４が形成されている。この遮光ルーバ２４は、光源部３から出射される光を遮光して配光制御する機能を有している。
【００２５】
図２乃至図４に示すように、光源部３は、基板３１と、この基板３１に実装された複数の発光素子３２とを備えている。この光源部３は、絶縁性を有する基板取付板３３に取付けられ、基板取付板３３が前記内ケース２の保持溝２２に保持されることにより、内ケース２内に配設される。
【００２６】
基板３１は、略長方形状に形成されており、複数の発光素子３２が長手方向に所定の離間距離を空けて略直線状に並べられて実装されている。この場合、隣接する発光素子３２間の離間距離は、略等しく、具体的には、約５０ｍｍに設定されている。
【００２７】
基板３１は、絶縁材であるガラスエポキシ樹脂（ＦＲ−４）の平板からなり、表面側には銅箔で形成された配線パターンが施されている。また、適宜白色のレジスト層が施されるようになっている。なお、基板３１の材料は、絶縁材とする場合には、ガラスコンポジット基板（ＣＥＭ−３）やセラミックス材料等を適用できる。さらに、金属製とする場合は、アルミニウム等の熱伝導性が良好で放熱性に優れたべース板の一面に絶縁層が積層された金属製のべース基板を適用できる。
【００２８】
発光素子３２は、ＬＥＤであり、表面実装型のＬＥＤパッケージである。概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。
【００２９】
ＬＥＤチップは、青色光を発光するＬＥＤチップである。透光性樹脂には、蛍光体が混入されており、白色光を出射できるようにするために、青色の光とは補色の関係にある黄色系の光を放射する黄色蛍光体が使用されている。
【００３０】
なお、ＬＥＤは、ＬＥＤのベアチップを直接基板３１に実装するようにしてもよく、また、砲弾型のＬＥＤを実装するようにしてもよく、実装方式や形式は、格別限定されるものではない。
【００３１】
電源回路４は、前記光源部３を構成する基板３１に設けられている。すなわち、電源回路４を構成する例えば、整流器、コンデンサ、抵抗素子等の回路部品４１は、光源部３の基板３１に実装されている。したがって、発光素子３２と回路部品４１とは、同一基板３１に実装されている。
【００３２】
具体的には、回路部品４１は、発光素子３２の直線状の列に略沿って、両側又は片側に実装することが好ましく、これにより基板３１の実装領域を有効に利用することが可能となる。
【００３３】
電源回路４は、商用交流電源ＡＣに電源線によって電源端子４２を介して接続されていて、この交流電源ＡＣを受けて直流出力を生成するものである。電源回路４は、例えば、全波整流回路の出力端子間に平滑コンデンサを接続し、この平滑コンデンサに直流電圧変換回路及び電流検出手段を接続して構成されている。したがって、電源回路４は、配線パターンを介して発光素子３２に接続されており、その直流出力を発光素子３２に供給し、発光素子３２を点灯制御するようになっている。
【００３４】
光学部品５は、プリズムシートであり、このプリズムシートは、透光性を有し、細長の長方形状に形成されていて、その両側が前記内ケース２の保持溝２３に保持されて配設されている。したがって、プリズムシートは、内ケース２の照射開口部２１を覆い、発光素子３２の列に対応して、発光素子３２の前面側に配置される。
このプリズムシートは、表面に微細な溝が形成され、発光素子３２から出射される光を長手方向に向けて屈折させて拡散する機能を有している。
【００３５】
図２及び図３に示すように、第１のカバー６は、透光性を有し、長方形状をなす透明なガラス板である。このガラス板は、背面側の両側が内ケース２に形成された遮光ルーバ２４の前端部及びケース本体１の支持部１２に載置されるように配置され、前面側の両側を押え板６１によって前面側から押圧されるように固定されている。なお、押え板６１は、ケース本体１の前面側にねじ止めされて固定されるようになっている。
【００３６】
また、ケース本体１の溝状部１２ａと端板部材１４の溝状部１４ａとで形成されたシール部材配設部８には、断面円形状のシール部材６２がガラス板に押圧されて挟持され、弾性変形して介在して配設されている。このため、ケース本体１の開口部１１は、ガラス板によって気密的に閉塞され、内部に水気や塵埃が侵入するのが防止され、防水性能を確保することが可能となっている。
【００３７】
第２のカバー７は、第１のカバー６の前面側に配設されていて、第１のカバー６を含めて前面側の全面を覆うように構成されている。また、中央部７１が前面側へやや凸となるように湾曲して形成され、少なくともこの中央部７１は、透光性を有するようになっている。
【００３８】
このように構成された第２のカバー７は、防水性能を高めるとともに、第１のカバー６を保護する機能を有している。つまり、第１のカバー６は、前面側（表面側）の両側を押え板６１によって前面側から押圧されるように固定されている。このため、第１のカバー６の前面側には、押え板６１との関係で凹所が形成され、図３に示すように、第１のカバー６の前面側が押え板６１より低い位置となる。
【００３９】
したがって、仮に、第２のカバー７を設けない場合には、前記凹所に水がたまり、防水性能の低下や第１のカバー６の表面に汚れが付着することによる光の透過性の低下が生じる虞がある。
【００４０】
しかしながら、第２のカバー７を設けることにより、例えば、第２のカバー７の表面に滴下、付着した水は、凸となる湾曲形成された構成によって流れ落ちることとなり、長期にわたる防水性能の確保が可能となる。また、第１のカバー６の汚れの付着を抑制して光の透過性の低下を抑制することができる。
次に、上記のように構成された照明器具の組立工程の一例について、主として図２乃至図４を参照して概略を説明する。
【００４１】
まず、図４に示すように、基板取付板３３に取付けられた光源部３（電源回路４を含む）及び光学部品５であるプリズムシートを内ケース２に組込み配設する。この場合、基板取付板３３を内ケース２の両端部における開口の一方側から、内ケース２の保持溝２２にスライドさせて挿入する。また、プリズムシートを内ケース２の保持溝２３にスライドさせて挿入する。これにより光源部３及び光学部品５は、絶縁性の内ケース２に保持される。
【００４２】
次いで、内ケース２をケース本体１に配設する。具体的には、ケース本体１の両端部における開口の一方側から、内ケース２をケース本体１の内側のスペースにスライドさせて挿入する。
【００４３】
続いて、図２に示すように、ケース本体１の両端部の開口に、シール部材１４ｃ（図７に示す。）を介して端板部材１４をねじ止めして取付ける。そして、図３及び図８を加えて示すように、ケース本体１の溝状部１２ａと端板部材１４の溝状部１４ａとで形成されたシール部材配設部８にリング状のシール部材６２を配設する。その後、第１のカバー６をケース本体１の開口部１１を閉塞するように前面側から押え板６１をねじ止めすることによって取付ける。
【００４４】
次いで、第２のカバー７をケース本体１の両端部における一方側から、ケース本体１の前面側にスライドさせて配置し、その後、側方から取付ねじＳを端板部材１４の側壁にねじ込む。
【００４５】
このように組立てられる照明器具によれば、光源部３や光学部品５を内ケース２の開口から挿入して組込むことができる。また、これら光源部３や光学部品５が配設された内ケース２をケース本体１の開口から挿入して組込むことができるので、組立工程の簡素化が可能となる。
さらに、光源部３は、内ケース２である絶縁性を有する樹脂製ケースに組込まれるので、コンパクトな形態で絶縁性を確保することが可能となる。
【００４６】
また、ケース本体１の溝状部１２ａと端板部材１４の溝状部１４ａとにわたって、しかもリング状のシール部材６２を用いてケース本体１の開口部１１を閉塞するようにしたので、防水性能を向上できるとともに、シール部材６２の取付け作業が簡単となる効果を奏することが可能となる。
【００４７】
照明器具の設置状態において、基板３１を介して電源回路４に電力が供給されると、発光素子３２に通電され、各発光素子３２が点灯する。発光素子３２から出射された光は、光学部品５であるプリズムシート、第１のカバー６及び第２のカバー７を透過して目的とする方向に照射される。
【００４８】
この場合、発光素子３２から主として前面側方向へ直進して出射される光は、光学部品５に入射すると、長手方向に向かって屈折され拡散するように進行する。換言すれば、発光素子３２から出射された光は、長手方向に伸びるように拡散される。したがって、発光素子３２の列に所定の離間距離があっても、長手方向の光の連続性が途切れることが抑制され、光の連続性を確保することが可能となる。
【００４９】
さらに、照射開口部２１の縁部には、遮光ルーバ２４が設けられているので、直接発光素子３２から出射される光が視認しにくくなり、照射面が均一に光っているような見え方が実現でき、光の連続性の確保が高められる。
【００５０】
また、ケース本体１における前面側の開口縁部と端板部材１４の前面側の縁部とに連続するように環状に形成されたシール部材配設部８に、リング状のシール部材６２が配設されているので、防水性を確実に確保することができ信頼性の向上を図ることができる。
【００５１】
以上のように本実施形態によれば、防水性能を向上できるとともに、シール部材６２の取付け作業が簡単となり、組立作業性が良好な照明器具を提供することが可能となる。
【００５２】
なお、本発明は、上記実施形態の構成に限定されることなく、発明の要旨を逸脱しない範囲で種々の変形が可能である。例えば、光源部には、ＬＥＤや有機ＥＬ等の固体発光素子、放電ランプ等が適用でき、その種類が格別限定されるものではない。
【００５３】
さらに、照明器具としては、屋外で使用されるものに好適であるが、これに限定されるものではない。屋内で使用されるものであってもよい。屋外又は屋内で使用される各種照明器具に適用可能である。
【符号の説明】
【００５４】
１・・・ケース本体、２・・・内ケース（樹脂製ケース）、
３・・・光源部、４・・・電源回路、
５・・・光学部品（プリズムシート）、６・・・第１のカバー、
７・・・第２のカバー、８・・・シール部材配設部、
１１・・前面側の開口部、１４・・・端板部材、
３１・・・基板、３２・・・発光素子（ＬＥＤ）、
２４、３４・・・遮光ルーバ、６２・・・シール部材
【図１】
2012243393.tif 000003
【図２】
2012243393.tif 000004
【図３】
2012243393.tif 000005
【図４】
2012243393.tif 000006
【図５】
2012243393.tif 000007
【図６】
2012243393.tif 000008
【図７】
2012243393.tif 000009
【図８】
2012243393.tif 000010